(57)【要約】【課題】使用時の利便性を向上する。【解決手段】生体の鼻腔にガスを供給する鼻呼吸補助部を備える呼吸補助具であり、鼻呼吸補助部が、生体の一方の鼻孔の下方にガスを供給する第１ガス供給部と、生体の他方の鼻孔の下方にガスを供給する第２ガス供給部と、第１ガス供給部にガスを供給するチューブを接続可能な第１チューブ接続部と、第２ガス供給部にガスを供給するチューブを接続可能な第２チューブ接続部と、を備える。【選択図】図２
2019170455.tif 000002
【特許請求の範囲】
【請求項１】
生体の鼻腔にガスを供給する鼻呼吸補助部、
を備える呼吸補助具であり、
前記鼻呼吸補助部が、
前記生体の一方の鼻孔の下方に前記ガスを供給する第１ガス供給部と、
前記生体の他方の鼻孔の下方に前記ガスを供給する第２ガス供給部と、
前記第１ガス供給部に前記ガスを供給するチューブを接続可能な第１チューブ接続部と、
前記第２ガス供給部に前記ガスを供給するチューブを接続可能な第２チューブ接続部と、
を備える、
呼吸補助具。
【請求項２】
前記第１チューブ接続部または前記第２チューブ接続部のいずれか一方は、前記チューブと着脱不可能であり、いずれか他方は着脱可能である、
請求項１に記載の呼吸補助具。
【請求項３】
前記鼻呼吸補助部に着脱可能に取り付けられ前記生体の口腔に装着されるバイトブロック、
を備え、
前記バイトブロックが、
略筒状の壁面部と、
前記壁面部の外面に設けられ開口された前記口腔と接触する口腔接触部と、
前記壁面部の内面に設けられ管状の物体を挿入可能な貫通孔と、
前記貫通孔に設けられ前記口腔に前記ガスを供給する第３ガス供給部と、
前記第３ガス供給部に前記ガスを供給するチューブを接続可能な第３チューブ接続部と、
を備える、
請求項１記載の呼吸補助具。
【請求項４】
前記バイトブロックが取り付けられている場合には、前記第１チューブ接続部または前記第２チューブ接続部の少なくともいずれか一方、及び前記第３チューブ接続部に前記チューブが接続され、
前記バイトブロックが取り外されている場合には、前記第１チューブ接続部及び前記第２チューブ接続部に前記チューブが接続される、
請求項３に記載の呼吸補助具。
【請求項５】
前記鼻呼吸補助部に設けられる第１嵌合部と、
前記バイトブロックに設けられ前記第１嵌合部と嵌合する第２嵌合部を備え、
前記第１嵌合部及び前記第２嵌合部により前記鼻呼吸補助部と前記バイトブロックとが着脱可能に取り付けられる、
請求項３に記載の呼吸補助具。
【請求項６】
前記生体からの呼気を収集する呼気収集部と、
前記呼気収集部に設けられ、前記呼気に含まれる所定のガス成分の濃度を測定するガスセンサを装着可能なガスセンサ装着部と、
を備え、
前記鼻呼吸補助部が、
前記生体の一方の鼻孔に接続され前記鼻腔からの呼気を前記呼気収集部に導入する鼻腔呼気導入部、
を備える、
請求項１に記載の呼吸補助具。
【請求項７】
前記生体からの呼気を収集する呼気収集部と、
前記呼気収集部に設けられ、前記呼気に含まれる所定のガス成分の濃度を測定するガスセンサを装着可能なガスセンサ装着部と、
を備え、
前記バイトブロックが、
前記口腔からの呼気を前記呼気収集部に導入する口腔呼気導入部、
を備える、
請求項３に記載の呼吸補助具。
【発明の詳細な説明】
【技術分野】
【０００１】
本発明は、呼吸補助具に関する。
【背景技術】
【０００２】
口腔や鼻腔から内視鏡手術を行う際に、手術を受ける生体の苦痛を軽減するために、鎮痛麻酔を用いる場合がある。鎮痛麻酔を用いて内視鏡手術を行う場合に、副作用として呼吸停止することを防ぐために、口腔や鼻腔に酸素ガスなどの治療ガス（以下「ガス」という。）を供給する呼吸補助具を用いる。
【０００３】
呼吸補助具としては、例えば鼻腔にガスを供給するために鼻孔の下方など周囲に取り付けて鼻呼吸を補助する呼吸補助具がある。また、別の呼吸補助具としては、例えば口腔から内視鏡手術を行う場合に生体が内視鏡を噛まないように口腔に装着されるバイトブロックにガスを供給する機能を備えるものがある。呼吸補助具には、生体の呼吸状態を監視するために、呼気に含まれる二酸化炭素の濃度を測定する二酸化炭素濃度測定センサ（以下「ＣＯ２センサ」という。）が装着できるものがある。
【０００４】
なお、呼吸補助具に関連する技術として、別個の口用/鼻用カニューレ（カニューラ）と共に使用され得て、または、呼吸収集またはガス供給カニューレを内蔵できる咬合阻止器が開示されている（例えば、特許文献１参照）。
【先行技術文献】
【特許文献】
【０００５】
【特許文献１】特表２００７−５００５６６号公報
【発明の概要】
【発明が解決しようとする課題】
【０００６】
ところで、手術時の鎮痛麻酔は、手術後も数時間にわたり持続する場合がある。このため、呼吸補助具によるガスの供給、及び、呼吸補助具に装着されるＣＯ２センサによる呼吸状態の監視は、手術後も所定期間継続する。手術後の呼吸補助具は、鼻呼吸を補助する呼吸補助具のみが用いられる。
【０００７】
従来は、例えば手術中に鼻呼吸用の呼吸補助機能とバイトブロックとを備える呼吸補助具を用い、手術後に鼻呼吸用の呼吸補助具に交換していた。また、従来の呼吸補助具には、鼻呼吸用の呼吸補助具とバイトブロックとを分離できるものがある。バイトブロックを口腔から外して鼻呼吸用の呼吸補助具のみを使用する場合には、バイトブロックにガスを供給するチューブは使用されない。このため、従来は、手術後に呼吸補助具を交換する手間や、バイトブロックとバイトブロックにガスを供給するチューブとを取り外す手間があった。
【０００８】
また、別の従来の呼吸補助具では、バイトブロック用のチューブに一方弁を取り付けて、バイトブロックを取り外した後にガスの漏出を防いでいた。しかし、この呼吸補助具では、バイトブロックを取り外した後のチューブを固定する手間があった。また、この呼吸補助具では、一方弁を設けることによりコストの上昇を招いていた。
【０００９】
本発明は、呼吸補助具において使用時の利便性を向上することを目的とする。
【課題を解決するための手段】
【００１０】
本発明は、生体の鼻腔にガスを供給する鼻呼吸補助部を備える呼吸補助具であり、鼻呼吸補助部が、生体の一方の鼻孔の下方にガスを供給する第１ガス供給部と、生体の他方の鼻孔の下方にガスを供給する第２ガス供給部と、第１ガス供給部にガスを供給するチューブを接続可能な第１チューブ接続部と、第２ガス供給部にガスを供給するチューブを接続可能な第２チューブ接続部と、を備える。
【発明の効果】
【００１１】
本発明によれば、呼吸補助具において使用時の利便性を向上することができる。
【図面の簡単な説明】
【００１２】
【図１】本発明に係る呼吸補助具の実施形態を示す斜視図である。
【図２】図１に示した呼吸補助具の鼻呼吸補助部とバイトブロックとを分離した状態を示す斜視図である。
【図３】図１に示した呼吸補助具の鼻呼吸補助部を示す正面図である。
【図４】図２に示した鼻呼吸補助部の内部構造を示す模式図である。
【図５】図１に示した呼吸補助具のバイトブロックを示す正面図である。
【図６】図５に示したバイトブロックを示す背面図である。
【図７】図５に示したバイトブロックを背面方向から見た断面図である。
【図８】図１に示した呼吸補助具を人体に装着した状態を示す模式図である。
【図９】図１に示した呼吸補助具の鼻呼吸補助部を人体に装着した状態を示す模式図である。
【発明を実施するための形態】
【００１３】
以下、本発明に係る呼吸補助具の実施形態について、図面を参照しながら説明する。本実施形態において、呼吸補助具は、生体の一例である人体の口腔や鼻腔から挿入される内視鏡により手術を行う際に、口腔や鼻腔にガスを供給する。また、本実施形態において、呼吸補助具は、人体の呼吸状態を監視するために、所定のガス成分の一例として、発光素子と受光素子を用いて呼気に含まれる二酸化炭素の濃度を測定するＣＯ２ガスセンサ（以下単に「ガスセンサ」ともいう。）を装着するものについて説明する。
【００１４】
［呼吸補助具の構成］
図１は、本発明に係る呼吸補助具１の実施形態を示す斜視図である。図１に示すように、呼吸補助具１は、鼻呼吸補助部１０と、バイトブロック２０とを備える。
【００１５】
なお、以下の説明及び図面において、呼吸補助具１が生体の一例である人体に装着された際に、人体の顔面に向かい合う方向を正面とする。そして、以下の説明及び図面において、呼吸補助具１が人体に装着された際の各方向を、正面方向から見て以下のように定める。以下の説明及び図面において、呼吸補助具１が装着される人体の顔面に向かって左方向を−Ｘ方向、向かって右方向を＋Ｘ方向とする。また、以下の説明及び図面において、人体の口腔の内に向かう方向を＋Ｙ方向、人体の口腔から離れる方向を−Ｙ方向とする。さらに、人体の顔面の上（頭頂）方向を＋Ｚ方向、下（顎）方向が−Ｚ方向とする。
【００１６】
鼻呼吸補助部１０は、人体の鼻孔の下方に装着される。鼻呼吸補助部１０は、鼻孔を経由して生体の鼻腔にガスを供給する。
【００１７】
バイトブロック２０は、生体が口腔に挿入される内視鏡などを噛まないように、開口した状態で口の動きを抑制するために、人体の口腔に装着される。鼻呼吸補助部１０及びバイトブロック２０の詳細については後述する。
【００１８】
［鼻呼吸補助部の構成］
図２は、呼吸補助具１の鼻呼吸補助部１０とバイトブロック２０とを分離した状態を示す斜視図である。また、図３は、呼吸補助具１の鼻呼吸補助部１０を示す正面図である。鼻呼吸補助部１０の構成について、図２及び図３を参照しつつ説明する。
【００１９】
図２に示すように、鼻呼吸補助部１０は、鼻腔呼気導入部１１と、ガスセンサ装着部１２と、ガス供給部１３と、チューブ接続カプラ１４と、第１嵌合部１５とを備える。
【００２０】
鼻腔呼気導入部１１は、鼻呼吸補助部１０において、ガスセンサ装着部１２が設けられる位置を中心としてみると、＋Ｚ軸方向及び＋Ｙ軸方向に延出して設けられる。図３に示すように、鼻腔呼気導入部１１は、ガスセンサ装着部１２の上部から第１鼻腔呼気導入部１１１及び第２鼻腔呼気導入部１１２に分岐する。
【００２１】
第１鼻腔呼気導入部１１１及び第２鼻腔呼気導入部１１２は、それぞれ略円筒状の流路である。第１鼻腔呼気導入部１１１及び第２鼻腔呼気導入部１１２は、呼吸補助具１が人体に装着されるときに、それぞれ先端部が人体の２つの鼻孔の一方に挿入される。鼻腔呼気導入部１１は、人体の鼻腔から放出された呼気をガスセンサ装着部１２の方向に導入する。
【００２２】
ガスセンサ装着部１２は、鼻腔呼気導入部１１の−Ｚ軸方向下方に設けられる。ガスセンサ装着部１２は、ベース部１２１と、ガスセンサ係合部１２２と、マグネット部１２３と、ガスセンサ係止部１２４と、ガスセンサ計測窓１２５と、を備える。ガスセンサ装着部１２には、不図示のガスセンサが装着可能である。
【００２３】
ベース部１２１は、ガスセンサ装着部１２の上部に設けられる鼻腔呼気導入部１１を支持する。
【００２４】
ガスセンサ係合部１２２は、ガスセンサを係合させるために設けられる。ガスセンサ係合部１２２は、ガスセンサの被係合部と係合可能な形状を有する。具体的には、ガスセンサ係合部１２２は、正面及び両側面に壁部を有することで、内部に空間が形成される。
【００２５】
マグネット部１２３は、ガスセンサの被係合部に設けられるマグネット部と接触可能である。マグネット部１２３は、例えばガスセンサ係合部１２２の正面方向の面に設けられる。マグネット部１２３は、ガスセンサのマグネット部と接触してガスセンサの脱落を防止する。
【００２６】
ガスセンサ係止部１２４は、ガスセンサの筐体の少なくとも一部を係止するために、ガスセンサの筐体の一部を受容可能な形状を有する。
【００２７】
ガスセンサ計測窓１２５は、例えば所定の光透過率が確保された窓である。ガスセンサ計測窓１２５は、ガスセンサを取り付けた際にガスセンサの発光部からの光及び受光部への光を通過可能に形成される。ガスセンサ計測窓１２５は、ガスセンサが取り付けられた際に上記発光部及び受光部の位置に対応する位置に設けられる。
【００２８】
図４は、鼻呼吸補助部１０の内部構造を示す模式図である。図４に示すように、呼気収集部１２６は、ガスセンサ係合部１２２の壁部の内部に設けられる上述の空間である。呼気収集部１２６は、鼻腔呼気導入部１１及び口腔から導入された呼気を収集する。呼気収集部１２６に収集された呼気は、ガスセンサ係合部１２２に取り付けられるガスセンサによりＣＯ２の濃度が計測される。
【００２９】
ガス供給部１３は、鼻呼吸補助部１０のガスセンサ装着部１２が設けられる位置を中心に、±Ｘ軸方向に延出して設けられる。図２及び図４に示すように、ガス供給部１３は、第１ガス供給部１３１と、第２ガス供給部１３２と、第１チューブ接続部１３３と、第２チューブ接続部１３４とを備える。
【００３０】
第１ガス供給部１３１は、人体の一方の鼻孔の下方にガスを供給するための流路の開口である。第１ガス供給部１３１は、人体の顔面に向かって左側に設けられ、人体の右側の鼻孔に向けてガスを供給する。
【００３１】
第２ガス供給部１３２は、人体の他方の鼻孔の下方にガスを供給するための流路の開口である。第２ガス供給部１３２は、人体の顔面に向かって右側に設けられ、人体の左側の鼻孔に向けてガスを供給する。
【００３２】
第１チューブ接続部１３３は、ガス供給部１３の人体の顔面に向かって左側方向の端部に設けられる。第１チューブ接続部１３３は、ガスを供給する不図示のチューブを接続可能である。第１チューブ接続部１３３に接続される上記チューブは、接着され着脱不可能である。第１チューブ接続部１３３は、第１ガス供給部１３１と連通する開口である。第１チューブ接続部１３３に接続されたチューブから供給されるガスは、第１ガス供給部１３１から人体の右側の鼻孔から鼻腔に供給される。
【００３３】
第２チューブ接続部１３４は、ガス供給部１３の人体の顔面に向かって右側方向の端部に設けられる。第２チューブ接続部１３４は、第１チューブ接続部１３３と同様にガスを供給する上記チューブを接続可能である。第２チューブ接続部１３４に接続される上記チューブは、着脱可能である。第２チューブ接続部１３４は、第２ガス供給部１３２と連通する開口である。第２チューブ接続部１３４に接続されたチューブから供給されるガスは、第２ガス供給部１３２から人体の左側の鼻孔から鼻腔に供給される。そして、図４に示すように、第１ガス供給部１３１は第１チューブ接続部１３３にのみ連通し、第２ガス供給部１３２は第２チューブ接続部１３４のみ連通している。つまり、第１チューブ接続部１３３から第１ガス供給部１３１を経由して人体の右側の鼻孔に到達するガスの経路と、第２チューブ接続部１３４から第２ガス供給部１３２を経由して人体の左側の鼻孔に到達するガスの経路は、独立している。
【００３４】
チューブ接続カプラ１４は、第２チューブ接続部１３４にチューブを接続するために使用されるカプラである。図１乃至図４では、チューブ接続カプラ１４は、第２チューブ接続部１３４にのみ接続されているが、本実施形態ではこれに限定されない。つまり、チューブ接続カプラ１４は、第１チューブ接続部１３３に接続されてもよい。
【００３５】
第１嵌合部１５は、鼻呼吸補助部１０のガスセンサ装着部１２が設けられる位置を中心に、−Ｚ軸方向に延出して設けられる。第１嵌合部１５は、略箱形状を有する。第１嵌合部１５は、係合ピン１５１と、第１係合溝１５２と、第１口腔呼気導入部１５３とを備える。
【００３６】
係合ピン１５１は、第１嵌合部１５の両側面に設けられる。係合ピン１５１は、第１嵌合部１５の両側面から±Ｘ軸方向に延出される突起である。
【００３７】
第１係合溝１５２は、第１嵌合部１５の両側面に設けられる。第１係合溝１５２は、第１嵌合部１５の両側面の下端から＋Ｚ軸方向に形成される長手形状の切欠きである。
【００３８】
第１口腔呼気導入部１５３は、第１嵌合部１５を形成する壁面部の内側に形成される流路である。第１口腔呼気導入部１５３は、呼気収集部１２６に連通する。第１口腔呼気導入部１５３は、バイトブロック２０側から導入される人体の口腔からの呼気を呼気収集部１２６に導入する。
【００３９】
［バイトブロックの構成］
図５は、呼吸補助具１のバイトブロック２０を示す正面図である。また、図６は、バイトブロック２０を示す背面図である。図２、図５及び図６に示すように、バイトブロック２０は、壁面部２１と、口腔接触部２２と、プレート部２３と、第２嵌合部２４と、第３チューブ接続部２５と、チューブ接続カプラ２６と、貫通孔２７と、第３ガス供給部２８と、を備える。
【００４０】
壁面部２１は、Ｙ方向を長手方向とする略筒状に形成され、バイトブロック２０の概略形状を定める。口腔接触部２２は、壁面部２１の外面に設けられ開口された人体の口腔と接触する。口腔接触部２２は、人体が口腔に挿入される内視鏡などを噛まないように、開口した状態で口の動きを抑制する。口腔接触部２２の＋Ｙ軸方向の端部には、バイトブロック２０が人体に装着されたときに人体の口腔内での接触状態を緩和するリブ２２１が設けられる。
【００４１】
プレート部２３は、壁面部２１及び口腔接触部２２の長手方向に交差するような略平面、換言すると略ＸＺ平面に沿って形成される略板状の部材である。プレート部２３は、Ｙ軸方向において壁面部２１と口腔接触部２２との境界に設けられる。プレート部２３は、バイトブロック２０が人体に装着されたときに人体に対する位置決めを行う。
【００４２】
第２嵌合部２４は、壁面部２１の上面から＋Ｚ軸方向に延出される部材である。図２、図５及び図６に示すように、第２嵌合部２４は、第２嵌合部本体２４０と、第２係合溝２４１と、第２口腔呼気導入部２４２と、口腔呼気導入開口部２４３とを備える。
【００４３】
第２嵌合部本体２４０は、第２嵌合部２４の概略形状を定める。第２嵌合部本体２４０は、第１嵌合部１５と嵌合するために、上下端が開放されている樋のような形状である。
【００４４】
第２係合溝２４１は、第２嵌合部本体２４０の両側面に設けられる。第２係合溝２４１は、鼻呼吸補助部１０の第１嵌合部１５の係合ピン１５１と係合するために、係合ピン１５１と係合可能な位置に設けられる。第１嵌合部１５と第２嵌合部２４とが嵌合する際には、第１嵌合部１５の第１係合溝１５２が第２嵌合部本体２４０の正面側において表面と裏面との間を通過する。呼吸補助具１では、第１嵌合部１５及び第２嵌合部２４により、鼻呼吸補助部１０とバイトブロック２０とを着脱可能に取り付けることができる。
【００４５】
第２口腔呼気導入部２４２は、上方が開放されている第２嵌合部本体２４０の内側に形成される。第２口腔呼気導入部２４２は、鼻呼吸補助部１０の第１嵌合部１５とバイトブロック２０の第２嵌合部２４とが嵌合した状態において、鼻呼吸補助部１０の呼気収集部１２６に連通する。このため、第２口腔呼気導入部２４２は、口腔からの呼気を呼気収集部１２６に導入することができる。
【００４６】
口腔呼気導入開口部２４３は、図６のようにバイトブロック２０を背面方向からみたときに、貫通孔２７の内側に開口される。口腔呼気導入開口部２４３は、第２口腔呼気導入部２４２と連通する。口腔呼気導入開口部２４３は、貫通孔２７の内部に流れる人体の口腔からの呼気を第２口腔呼気導入部２４２に導入することができる。
【００４７】
第３チューブ接続部２５は、壁面部２１の左側面から−Ｘ軸方向に向かって延出される略管状の部材である。第３チューブ接続部２５は、チューブ接続カプラ２６を用いてガスを供給する不図示のチューブを接続可能である。
【００４８】
チューブ接続カプラ２６は、上述のチューブ接続カプラ１４と同様に、第３チューブ接続部２５にチューブを接続するために使用されるカプラである。チューブ接続カプラ２６は、第２チューブ接続部１３４、及び第３チューブ接続部２５に接続することができる。
【００４９】
図７は、バイトブロック２０を示す背面方向から見た断面図である。図７に示すように、チューブ接続カプラ２６は、不図示のチューブを外部から接続するためのチューブ挿入孔２６１と、チューブ挿入孔２６１と連通するカプラ内流路２６２とを備える。チューブ接続カプラ２６は、チューブ挿入孔２６１からカプラ内流路２６２までが連通した１つの流路を形成する。第３チューブ接続部２５は、内部に第３ガス供給部２８と連通する管路２５１を有する。管路２５１は、チューブ接続カプラ２６の先端部分を受容可能な形状を有している。
【００５０】
貫通孔２７は、壁面部２１の内面に設けられる。貫通孔２７は、内視鏡などの管状の物体を口腔内に挿入可能にするために設けられる。
【００５１】
第３ガス供給部２８は、貫通孔２７に設けられる。第３ガス供給部２８は、第３チューブ接続部２５と連通する。このため、第３チューブ接続部２５に接続されたチューブ接続カプラ２６から供給されるガスは、第３ガス供給部２８から貫通孔２７を介して人体の口腔に供給される。
【００５２】
［呼吸補助具の使用例］
次に、以上説明した呼吸補助具１の使用例について説明する。
【００５３】
図８は、呼吸補助具１を人体Ｈに装着した状態を示す模式図である。図８では、鼻呼吸補助部１０とバイトブロック２０とが一体となっている状態の呼吸補助具１を人体Ｈに装着した状態を示している。呼吸補助具１のガスセンサ装着部１２には、人体Ｈの呼吸状態を監視するために、ガスセンサ３０が装着される。
【００５４】
図８に示すように、人体Ｈに装着されたときに、呼吸補助具１の鼻呼吸補助部１０は、鼻腔呼気導入部１１が鼻Ｎの鼻孔ＮＨ１及び鼻孔ＮＨ２に挿入される。また、鼻呼吸補助部１０のガス供給部１３は、人体Ｈの鼻Ｎの下方に配置される。呼吸補助具１のバイトブロック２０は、人体Ｈの口Ｍに装着される。
【００５５】
バイトブロック２０が鼻呼吸補助部１０に取り付けられている場合には、鼻呼吸補助部１０の第１チューブ接続部１３３に、チューブ４０が接続される。また、バイトブロック２０の第３チューブ接続部２５には、チューブ接続カプラ２６が接続される。チューブ接続カプラ２６には、チューブ４１が接続される。
【００５６】
チューブ４０が第１チューブ接続部１３３に接続されることで、ガス供給部１３は、図２及び図５に示す第１ガス供給部１３１から上方の人体Ｈの鼻孔ＮＨ１にガスを供給することができる。また、チューブ４１が接続されたチューブ接続カプラ２６が第３チューブ接続部２５に接続されることで、バイトブロック２０は、図６に示す第３ガス供給部２８から人体Ｈの口Ｍ内の口腔にガスを供給することができる。
【００５７】
なお、チューブ４０は、第１チューブ接続部１３３ではなく、第２チューブ接続部１３４に接続してもよい。
【００５８】
図９は、呼吸補助具１の鼻呼吸補助部１０を人体Ｈに装着した状態を示す模式図である。図９では、バイトブロック２０が取り外されて鼻呼吸補助部１０のみが人体Ｈに装着された状態の呼吸補助具１を示している。図８と同様に、呼吸補助具１のガスセンサ装着部１２には、人体Ｈの呼吸状態をモニタするために、ガスセンサ３０が装着される。
【００５９】
バイトブロック２０が呼吸補助具１から取り外された場合には、鼻呼吸補助部１０には、チューブ４０が第１チューブ接続部１３３に接続されるのに加えて、チューブ接続カプラ１４が第２チューブ接続部１３４に接続される。このチューブ接続カプラ１４は、図８においてバイトブロック２０の第３チューブ接続部２５に接続されていたチューブ接続カプラ２６を、バイトブロック２０を取り外したのに伴い付け替えたものである。
【００６０】
鼻呼吸補助部１０には、チューブ４０に加えて、チューブ４１が第２チューブ接続部１３４に接続される。このようにすることで、ガス供給部１３は、図２及び図５に示す第１ガス供給部１３１から鼻孔ＮＨ１へのガスの供給経路に加え、第２ガス供給部１３２から鼻孔ＮＨ２へのガスの供給経路を形成することができる。
【００６１】
以上説明したように、呼吸補助具１は、鼻呼吸補助部１０が、人体の一方の鼻孔の下方にガスを供給する第１ガス供給部１３１と、第１ガス供給部１３１と連通しガスを供給するチューブ４０，４１を接続可能な第１チューブ接続部１３３を備える。また、鼻呼吸補助部１０は、他方の鼻孔の下方にガスを供給する第２ガス供給部１３２と、第２ガス供給部１３２と連通しガスを供給するチューブを接続可能な第２チューブ接続部とを備える。ここで、第１ガス供給部１３１と第１チューブ接続部１３３とにより形成される鼻孔ＮＨ１から鼻腔への経路と、第２ガス供給部１３２と第２チューブ接続部１３４とにより形成される鼻孔ＮＨ２から鼻腔への経路とが、連通せず独立している。
【００６２】
このため、呼吸補助具１によれば、例えば手術後にバイトブロック２０を取り外して使用する場合に、呼吸補助具そのものを交換する手間や、バイトブロック用のチューブを撤去する手間を低減することで、使用時の利便性を向上することができる。
【００６３】
また、呼吸補助具１によれば、バイトブロック２０に用いたチューブ４１を鼻呼吸補助部１０に接続できるため、チューブ４１やチューブ接続カプラ２６にガス漏出防止の一方弁を取り付ける必要がなく、製造コストを低減することができる。
【００６４】
また、ガス供給部１３の左右両方向からチューブ４０，４１が接続されることによって、呼吸補助具１は、チューブ４０，４１により人体Ｈへの装着位置の位置決めを容易に行うことができる。
【００６５】
また、バイトブロック２０が取り外された後にチューブ４１をガス供給部１３に接続できることによって、呼吸補助具１は、バイトブロック２０から取り外されたチューブ４１を適宜な場所に固定する手間を低減し、使用時の利便性を向上することができる。
【００６６】
なお、以上説明した実施形態において、呼吸補助具１は、ガスセンサ３０を装着するためのガスセンサ装着部１２を有していたが、本発明ではこれに限定されない。つまり、呼吸補助具は、ガスセンサ装着部を有しないものでもよい。
【００６７】
以上説明した実施形態において、呼吸補助具１は、鼻呼吸補助部１０とバイトブロック２０とを備え、鼻呼吸補助部１０とバイトブロック２０とが着脱可能にされているものについて説明したが、本発明はこれに限定されない。例えば、本発明に係る呼吸補助具は、鼻呼吸補助部１０のみを備えるものでもよい。この場合、本発明に係る呼吸補助具は、呼吸補助具のみで用いても、バイトブロックと組み合わせて用いてもよい。ここで、呼吸補助具に組み合わせられるバイトブロックは、上述のバイトブロック２０でも、あるいは他のバイトブロックでもよい。
【００６８】
以上説明した実施形態において、呼吸補助具１は、第１チューブ接続部１３３に接続されるチューブが着脱不可能で第２チューブ接続部１３４に接続されるチューブが着脱可能であったが、本発明はこれに限定されない。例えば、呼吸補助具は、第２チューブ接続部１３４に接続されるチューブが着脱不可能であってもよい。また、本発明において、第１チューブ接続部１３３及び第２チューブ接続部１３４に接続されるチューブは、いずれも着脱可能でもよい。
【符号の説明】
【００６９】
１  呼吸補助具
１０  鼻呼吸補助部
１１  鼻腔呼気導入部
１２  ガスセンサ装着部
１３  ガス供給部
１４  チューブ接続カプラ
１５  第１嵌合部
２０  バイトブロック
２１  壁面部
２２  口腔接触部
２３  プレート部
２４  第２嵌合部
２５  第３チューブ接続部
２６  チューブ接続カプラ
２７  貫通孔
２８  第３ガス供給部
３０  ガスセンサ
４０  チューブ
４１  チューブ
１１１  第１鼻腔呼気導入部
１１２  第２鼻腔呼気導入部
１２１  ベース部
１２２  ガスセンサ係合部
１２３  マグネット部
１２４  ガスセンサ係止部
１２５  ガスセンサ計測窓
１２６  呼気収集部
１３１  第１ガス供給部
１３２  第２ガス供給部
１３３  第１チューブ接続部
１３４  第２チューブ接続部
１５１  係合ピン
１５２  第１係合溝
１５３  第１口腔呼気導入部
２２１  リブ
２４０  第２嵌合部本体
２４１  第２係合溝
２４２  第２口腔呼気導入部
２４３  口腔呼気導入開口部
２５１  管路
２６１  チューブ挿入孔
２６２  カプラ内流路
【図１】
2019170455.tif 000003
【図２】
2019170455.tif 000004
【図３】
2019170455.tif 000005
【図４】
2019170455.tif 000006
【図５】
2019170455.tif 000007
【図６】
2019170455.tif 000008
【図７】
2019170455.tif 000009
【図８】
2019170455.tif 000010
【図９】
2019170455.tif 000011